(57)【要約】記号イメージを用いたデザイン設計装置及び設計方法と記号イメージが適用された設計対象物分析装置と分析方法が開示される。本発明は、所定の文字に対応するイメージであって、前記文字のイメージ上の余白の位置に対応する位置に生成されるイメージである記号イメージが表現されるように、設計対象物を設計するステップと、設計された前記設計対象物のイメージを出力するステップとを介して実現される。また、本発明は、所定の文字に対応するイメージであって、文字のイメージ上の余白の位置に対応する位置に生成されるイメージである記号イメージが表現されるように実現された設計対象物の外部情報の入力を受けて、設計対象物の外部情報を分析して、設計対象物に実現された記号イメージを抽出して、抽出された記号イメージを表示するステップを介して実現される。
2016532937.tif 000002
【特許請求の範囲】
【請求項１】
記号イメージを用いたデザイン設計方法において、所定の文字に対応するイメージであって、前記文字のイメージ上の余白の位置に対応する位置に生成されるイメージである記号イメージが表現されるように、設計対象物を設計するステップ（ａ）と、設計された前記設計対象物のイメージを出力するステップ（ｂ）とを含む記号イメージを用いたデザイン設計方法。
【請求項２】
前記文字は、ハングル文字、英文字、数字のうち少なくとも１つを含む請求項１に記載の記号イメージを用いたデザイン設計方法。
【請求項３】
前記記号イメージは、当該文字または数字のイメージ上の余白の形に応じてその形状が決定される請求項１に記載の記号イメージを用いたデザイン設計方法。
【請求項４】
前記記号イメージは、三角形、四角形、円形などの各図形の形状を有する請求項３に記載の記号イメージを用いたデザイン設計方法。
【請求項５】
前記ステップ（ａ）は、前記設計対象物の構造を前記記号イメージの形状に応じて設計する請求項１に記載の記号イメージを用いたデザイン設計方法。
【請求項６】
前記ステップ（ａ）は、前記設計対象物の外面を前記記号イメージの形状に応じて設計する請求項１に記載の記号イメージを用いたデザイン設計方法。
【請求項７】
記号イメージを用いたデザイン設計装置において、所定の文字に対応するイメージであって、前記文字のイメージ上の余白の位置に対応する位置に生成されるイメージである記号イメージが表現されるように設計対象物を設計する設計処理部と、前記設計処理部によって設計された前記設計対象物のイメージを出力する出力部とを含む記号イメージを用いたデザイン設計装置。
【請求項８】
前記文字は、ハングル文字、英文字、数字のうち少なくとも１つを含む請求項７に記載の記号イメージを用いたデザイン設計装置。
【請求項９】
前記記号イメージは、当該文字または数字イメージ上の余白の形に応じてその形状が決定される請求項７に記載の記号イメージを用いたデザイン設計装置。
【請求項１０】
前記記号イメージは、三角形、四角形、円形などの各図形の形状を有する請求項９に記載の記号イメージを用いたデザイン設計装置。
【請求項１１】
前記設計処理部は、前記設計対象物の構造を前記記号イメージの形状に応じて設計する請求項７に記載の記号イメージを用いたデザイン設計装置。
【請求項１２】
前記設計処理部は、前記設計対象物の外面を前記記号イメージの形状に応じて設計する請求項７に記載の記号イメージを用いたデザイン設計装置。
【請求項１３】
記号イメージが適用された設計対象物分析方法において、所定の文字に対応するイメージであって、前記文字のイメージ上余白の位置に対応する位置に生成されるイメージである記号イメージが表現されるように実現された設計対象物の外部情報が入力されるステップ（ａ）と、前記設計対象物の外部情報を分析して、前記設計対象物に実現された記号イメージを抽出するステップ（ｂ）と、抽出された前記記号イメージを表示するステップ（ｃ）とを含む記号イメージが適用された設計対象物分析方法。
【請求項１４】
前記記号イメージは、複数の記号イメージがオーバーラップされた記号イメージであり、前記ステップ（ｂ）で前記複数の記号イメージのそれぞれを抽出する請求項１３に記載の記号イメージが適用された設計対象物分析方法。
【請求項１５】
前記記号イメージは、前記記号イメージの解釈基準座標が表示されているものである請求項１３に記載の記号イメージが適用された設計対象物分析方法。
【請求項１６】
前記文字は、ハングル文字、英文字、数字のうち少なくとも１つを含む請求項１３に記載の記号イメージが適用された設計対象物分析方法。
【請求項１７】
前記記号イメージは、当該文字または数字イメージ上の余白の形に応じてその形状が決定される請求項１３に記載の記号イメージが適用された設計対象物分析方法。
【請求項１８】
前記記号イメージは、三角形、四角形、円形などの各図形の形状を有する請求項１７に記載の記号イメージが適用された設計対象物分析方法。
【請求項１９】
前記外部情報は、前記設計対象物の映像情報、光情報、温度情報、及び周波数情報のうちいずれか１つである請求項１３に記載の記号イメージが適用された設計対象物分析方法。
【請求項２０】
記号イメージが適用された設計対象物分析装置において、所定の文字に対応するイメージであって、前記文字のイメージ上の余白の位置に対応する位置に生成されるイメージである記号イメージが表現されるように実現された設計対象物の外部情報が入力される入力部と、前記入力部から入力された外部情報を分析して、前記設計対象物に実現された記号イメージを抽出する分析部と、前記分析部により抽出された記号イメージを表示する表示部とを含む記号イメージが適用された設計対象物分析装置。
【請求項２１】
前記記号イメージは、複数の記号イメージがオーバーラップされた記号イメージであり、前記分析部は、前記複数の記号イメージのそれぞれを抽出する請求項２０に記載の記号イメージが適用された設計対象物分析装置。
【請求項２２】
前記記号イメージは、前記記号イメージの解釈基準座標が表示されているものである請求項２０に記載の記号イメージが適用された設計対象物分析装置。
【請求項２３】
前記文字は、ハングル文字、英文字、数字のうち少なくとも１つを含む請求項２０に記載の記号イメージが適用された設計対象物分析装置。
【請求項２４】
前記記号イメージは、当該文字または数字イメージ上の余白の形に応じてその形状が決定される請求項２０に記載の記号イメージが適用された設計対象物分析装置。
【請求項２５】
前記記号イメージは、三角形、四角形、円形などの各図形の形状を有する請求項２４に記載の記号イメージが適用された設計対象物分析装置。
【請求項２６】
前記外部情報は、前記設計対象物の映像情報、光情報、温度情報、及び周波数情報のうちいずれか１つである請求項２０に記載の記号イメージが適用された設計対象物分析装置。
【発明の詳細な説明】
【技術分野】
【０００１】
本発明は、記号イメージを用いたデザイン設計装置及び設計方法と記号イメージが適用された設計対象物分析装置と分析方法に関するものであり、より詳細には、ハングル、英語、数字などの文字をシンボル化した記号イメージを用いて、各種の産業生産物（製品、美術品、建築物、工芸品、建物など）のデザイン設計を可能にする記号イメージを用いたデザイン設計装置及び設計方法と、ハングル、英語、数字などの文字をシンボル化した記号イメージを用いて設計された各種の産業生産物（製品、美術品、建築物、工芸品、建物など）のデザインから当該デザインに実現されている記号イメージやそれに対応する文字情報を分析することができる記号イメージが適用された設計対象物分析装置及び分析方法に関するものである。
【背景技術】
【０００２】
現代の映像メディアの発達により、文字の他にもイメージに対する情報転送の重要性が高まっている。例えば、飢餓難民救済に関しても、文字や数字だけで示した冗長な訴え文より文字や数字にイメージを組み合わせた場合がより強く訴えかけるという特長があり、このような時代的特徴を反映して、言語を単なる情報転送媒体から一歩発展させて言語の意味を象徴的に含ませて、産業における活用を向上させる方法が研究されている。
【０００３】
特に、産業、芸術、デザイン、建築、工芸、都市計画などの各種分野における産業生産物（製品、美術品、建築物、工芸品、建物など）に言語の文字や数字を象徴的に表現することにより、言語に対する認識を向上させて産業応用を可能にする方法が要求されるだけでなく、これらのハングル、英語、数字などの文字をシンボル化した記号イメージが適用された産業生産物のデザイン設計を容易にできるようにするデザイン設計ソリューションの提供が要求される。
【０００４】
また、これらの記号イメージが実現されるように設計された産業生産物に具体的にどのような記号イメージが実現されているかを一般人に分かりやすく説明できるようにするデザイン分析及び解析ソリューションの提供も必要となった。
【発明の概要】
【発明が解決しようとする課題】
【０００５】
したがって、本発明の目的は、ハングル、英語、数字などの文字をシンボル化した記号イメージを用いて、各種の産業生産物（製品、美術品、建築物、工芸品、建物など）のデザイン設計を可能にする記号イメージを用いたデザイン設計装置及び設計方法と、ハングル、英語、数字などの文字をシンボル化した記号イメージを用いて設計された各種の産業生産物（製品、美術品、建築物、工芸品、建物など）のデザインから、当該デザインに実現されている記号イメージとそれに対応する文字情報を分析することができる記号イメージが適用された設計対象物分析装置及び分析方法を提供することにある。
【課題を解決するための手段】
【０００６】
上記の目的を達成するために、本発明に係る記号イメージを用いたデザイン設計方法は、記号イメージを用いたデザイン設計方法において、所定の文字に対応するイメージであって、前記文字のイメージ上の余白の位置に対応する位置に生成されるイメージである記号イメージが表現されるように、設計対象物を設計するステップ（ａ）と、設計された前記設計対象物のイメージを出力するステップ（ｂ）とを含む。
【０００７】
また、前記記号イメージは、当該文字または数字のイメージ上の余白の形に応じて、その形状が決定されることを特徴とする。
また、前記記号イメージは、三角形、四角形、円形などの各図形の形状を有することを特徴とする。
【０００８】
また、前記ステップ（ａ）は、前記設計対象物の構造を、前記記号イメージの形状に応じて設計することを特徴とする。
また、前記ステップ（ａ）は、前記設計対象物の外面を前記記号イメージの形状に応じて設計することを特徴とする。
【０００９】
一方、本発明に係る記号イメージを用いたデザイン設計装置は、所定の文字に対応するイメージであって、前記文字のイメージ上の余白の位置に対応する位置に生成されるイメージである記号イメージが表現されるように設計対象物を設計する設計処理部と、前記設計処理部により設計された前記設計対象物のイメージを出力する出力部とを含む。
【００１０】
また、前記記号イメージは、当該文字または数字のイメージ上の余白の形に応じて、その形状が決定されることを特徴とする。
また、前記記号イメージは、三角形、四角形、円形などの各図形の形状を有することを特徴とする。
【００１１】
また、前記設計処理部は、前記設計対象物の構造を前記記号イメージの形状に応じて設計することを特徴とする。
また、前記設計処理部は、前記設計対象物の外面を前記記号イメージの形状に応じて設計することを特徴とする。
【００１２】
一方、本発明に係る記号イメージが適用された設計対象物分析方法は、所定の文字に対応するイメージであって、前記文字のイメージ上の余白の位置に対応する位置に生成されるイメージである記号イメージが表現されるように実現された設計対象物の外部情報が入力されるステップ（ａ）と、前記設計対象物の外部情報を分析して、前記設計対象物に実現された記号イメージを抽出するステップ（ｂ）と、抽出された前記記号イメージを表示するステップ（ｃ）とを含む。
【００１３】
好ましくは、前記記号イメージは、複数の記号イメージがオーバーラップされた記号イメージであり、前記（ｂ）ステップで前記複数の記号イメージのそれぞれを抽出することを特徴とする。
【００１４】
また、前記記号イメージは、前記記号イメージの解釈基準座標が必要に応じて表示されていることを特徴とする。
また、前記文字は、ハングル文字、英文字、数字のうち少なくとも１つを含むことを特徴とする。
【００１５】
また、前記記号イメージは、当該文字または数字のイメージ上の余白の形に応じて、その形状が決定されることを特徴とする。
また、前記記号イメージは、イメージまたは文字で表現されることを特徴とする。
【００１６】
また、前記記号イメージは、三角形、四角形、円形などの各図形の形状を有することを特徴とする。
また、前記記号イメージは点、線、面で表現されることを特徴とする。
【００１７】
また、前記外部情報は、前記設計対象物の映像情報、光情報、温度情報、及び周波数情報のうちいずれか１つであることを特徴とする。
一方、本発明に係る記号イメージが適用された設計対象物分析装置は、所定の文字に対応するイメージであって、前記文字のイメージ上の余白の位置に対応する位置に生成されるイメージである記号イメージが表現されるように実現された設計対象物の外部情報が入力される入力部と、前記入力部により入力された外部情報を分析して、前記設計対象物に実現された記号イメージを抽出する分析部と、前記分析部により抽出された記号イメージを表示する表示部とを含む。
【００１８】
好ましくは、前記記号イメージは、複数の記号イメージがオーバーラップされた記号イメージであり、前記分析部は、前記複数の記号イメージのそれぞれを抽出することを特徴とする。
【００１９】
また、前記記号イメージは、前記記号イメージの解釈基準座標が必要に応じて表示されていることを特徴とする。
また、前記文字は、ハングル文字、英文字、数字のうち少なくとも１つを含むことを特徴とする。
【００２０】
また、前記記号イメージは、当該文字または数字のイメージ上の余白の形に応じて、その形状が決定されることを特徴とする。
また、前記記号イメージは、三角形、四角形、円形などの各図形の形状を有するものである記号イメージが適用されたことを特徴とする。
【００２１】
また、前記外部情報は、前記設計対象物の映像情報、光情報、温度情報、及び周波数情報のうちいずれか１つであることを特徴とする。
【発明の効果】
【００２２】
本発明によれば、ハングル、英語、数字などの文字をシンボル化した記号イメージを用いて、各種の産業生産物（製品、美術品、建築物、工芸品、建物など）のデザイン設計を可能にする記号イメージを用いたデザイン設計装置及び設計方法が提供される。
【００２３】
また、本発明によれば、ハングル、英語、数字などの文字をシンボル化した記号イメージを用いて設計された各種の産業生産物（製品、美術品、建築物、工芸品、建物など）のデザインから当該デザインに実現されている記号イメージやそれに対応する文字情報を分析することができる記号イメージが適用された設計対象物分析装置及び分析方法が提供される。
【図面の簡単な説明】
【００２４】
【図１】本発明を適用することができる記号イメージ編集装置の構成を示す図。
【図２】本発明の実施例に基づいて記号イメージを抽出する処理を示す図。
【図３】本発明の実施例に基づいてハングルの初声に対応する記号イメージを生成する原理を示す図。
【図４】本発明の実施例に基づいてハングルの中声に対応する記号イメージを生成する原理を示す図。
【図５】本発明の実施例に基づいてハングルの終声に対応する記号イメージを生成する原理を示す図。
【図６】本発明の実施例に基づいて記号イメージを変形生成する原理を説明する図。
【図７】本発明の実施例に基づいてハングルの初声、中声、終声に対する記号イメージがそれぞれ生成される領域を説明する図。
【図８】本発明の実施例に基づいてアラビア数字に対応する記号イメージを生成する原理を示す図。
【図９】本発明の実施例に基づいて空間区画とシンボルによって表現される数字を活用した時計のデザインを例示した図。
【図１０】本発明の実施例に基づいて英語の大文字に対応する記号イメージを生成する原理を示す図。
【図１１】本発明に係る記号イメージを用いたデザイン設計装置の構造を示す機能ブロック図。
【図１２】本発明に係る記号イメージを用いたデザイン設計方法を説明するフローチャート。
【図１３】本発明に係る記号イメージを用いたデザイン設計方法によって設計された設計対象物を示す図。
【図１４Ａ】本発明に係る記号イメージを用いたデザイン設計方法によって設計された設計対象物を示す図。
【図１４Ｂ】本発明に係る記号イメージを用いたデザイン設計方法によって設計された設計対象物を示す図。
【図１４Ｃ】本発明に係る記号イメージを用いたデザイン設計方法によって設計された設計対象物を示す図。
【図１５】本発明に係る記号イメージを用いたデザイン設計方法によって設計された設計対象物を示す図。
【図１６】本発明に係る記号イメージを用いたデザイン設計方法によって設計された設計対象物を示す図。
【図１７Ａ】本発明に係る記号イメージを用いたデザイン設計方法によって設計された設計対象物を示す図。
【図１７Ｂ】本発明に係る記号イメージを用いたデザイン設計方法によって設計された設計対象物を示す図。
【図１８】本発明に係る記号イメージを用いたデザイン設計方法に活用される記号イメージの変形例として、方形(四角形)記号イメージを示す図。
【図１９】図１８の方形(四角形)記号イメージの活用例を示す図。
【図２０】本発明に係る記号イメージを用いたデザイン設計方法によって設計された別の設計対象物を示す図。
【図２１】本発明に係る設計対象物分析装置の構造を示す機能ブロック図。
【図２２】本発明に係る設計対象物分析方法を説明するフローチャート。
【図２３】図２１の設計対象物分析装置の表示部の表示状態を示す図。
【図２４】本発明の実施例に基づいて文字がオーバーラップされた例を示す図。
【図２５】本発明の実施例に基づいてオーバーラップされた文字を読み出す例を示す図。
【図２６】本発明に係る記号イメージの空間区画線が表示されていない状態で文字情報を抽出する原理を説明する図。
【図２７】本発明に係る記号イメージの空間区画線が表示されていない状態で文字情報を抽出する原理を説明する図。
【図２８】本発明の実施例に基づいて記号イメージを抽出する処理を示す図。
【図２９】本発明に係る記号イメージを用いたデザイン設計方法によって設計された設計対象物を示す図。
【図３０】本発明に係る記号イメージを用いたデザイン設計方法によって設計された設計対象物を示す図。
【図３１】本発明の実施例に基づいてオーバーラップされた文字を読み出す例を示す図。
【発明を実施するための形態】
【００２５】
以下、図面を参照して本発明をより詳細に説明する。図面の中で同じ構成要素は可能な限りどこにおいても同じ符号を付してある。また、本発明の要旨を不要にぼやかす公知の機能や構成についての詳細な説明は省略する。
【００２６】
【表１】
2016532937.tif 000003
また、英語の文字や数字に対応する英文字や数字を象徴的に表した記号イメージは、所定の区画された空間（例えば、四角形のイメージフレーム）から空間の一部分に少なくとも１つが配置されたシンボルである。ここで、シンボルは言語（ハングル、英語など）の文字や数字を一定の枠に入れて、空き空間（余白）から把握される形状を点、線、面などで単純化したものであり、点は三角形、四角形、円形などの様々な形状を有してもよい。
【００２７】
図１は、本発明を適用することができる記号イメージ編集装置の構成を示す図である。図１を参照すると、記号イメージ編集装置１００は、入力部１１０と制御部１２０と保存部１３０と出力部１４０とを含む。本発明の記号イメージ編集装置１００は、独自で動作可能であるか（下記の第１の実施例を参照）、または通信端末に備えられてデータ通信網を介して外部の他の装置（本発明の記号イメージ編集装置１００と同じ装置であって、他の通信端末に備えられるか、他の通信端末に連動される）と通信してもよい（下記の第２及び第３実施例を参照）。データ通信網は、有線または無線電話網とインターネット、ブルートゥースなどであってもよい。通信端末は、有線または無線電話、ＳＩＰ端末、携帯電話、ＰＤＡ、一般ＰＣ、ハンドヘルドＰＣ、有線または無線モデムを搭載したノートパソコン、スマートグラス、スマートカメラ、スマートウォッチ、ブラックボックス、ナビゲーション、カメラ、映像記録装置などの有線または無線データ通信が可能なデジタル機器などであってもよい。
【００２８】
第１の実施例として、記号イメージ編集装置１００は、入力部１１０を介して入力された言語（ハングル、英語など）の文字（数字を含む）を記号イメージに変換して出力部１４０を介してリアルタイムで出力する。また、記号イメージ編集装置１００は、入力部１１０を介して入力された記号イメージを解析して、当該言語の文字（数字を含む）を出力部１４０を介してリアルタイムで出力する。つまり、第１の実施例は、記号イメージ編集装置１００内で入力／出力処理をすべて行う。
【００２９】
第２の実施例として、記号イメージ編集装置１００は、入力部１１０を介して入力された言語（ハングル、英語など）の文字（数字を含む）の情報を外部の他の装置に転送する。また、記号イメージ編集装置１００は、入力部１１０を介して入力された記号イメージを解析して、その言語の文字（数字を含む）の情報を外部の他の装置に転送する。つまり、第２の実施例は、記号イメージ編集装置１００内で入力処理を行い、外部の他の装置を介して出力処理を行う。
【００３０】
第３の実施例として、記号イメージ編集装置１００は、外部の他の装置から転送された言語（ハングル、英語など）の文字（数字を含む）を記号イメージに変換して出力部１４０を介してリアルタイムで出力する。この時、外部の他の装置は、入力部１１０を介して入力された言語（ハングル、英語など）の文字（数字を含む）の情報を記号イメージ編集装置１００に転送するか、または入力部１１０を介して入力された記号イメージを解析して、その言語の文字（数字を含む）の情報を記号イメージ編集装置１００に転送する。つまり、第３の実施例は、外部の他の装置を介して入力処理を行い、記号イメージ編集装置１００内で出力処理を行う。
【００３１】
一方、本発明を実施するにあたって、第４の実施例として、外部の他の装置を介して入力処理を行うが、記号イメージ編集装置１００内の出力処理を行わず、また別の外部の他の装置を介して出力処理を行ってもよい。
【００３２】
前記第２及び第３の実施例において、外部の他の装置は、本発明の記号イメージ編集装置１００のような装置であって、他の通信端末に備えられるかまたは他の通信端末に連動されて駆動し、データ通信網を介して本発明の記号イメージ編集装置１００と通信する装置である。
【００３３】
記号イメージは、文字または数字のイメージ上の余白の位置に対応する位置に生成され、当該文字または数字のイメージ上の余白の形に応じて決定される。
特に、ハングル文字に対応する記号イメージは、ハングル文字を象徴的に表したものであり、少なくとも１つのハングル文字を表す所定の区画された空間でハングルの初声、中声、終声を区分できるように空間を分割して、区画された空間の一部分にシンボルが配置される。また、英文字または数字に対応する記号イメージは、英文字または数字を象徴的に表したものであり、少なくとも１つの英文字または数字を表す所定の区画された空間で空間の一部分にシンボルが配置される。ここで、空間を分割するための線は視覚的に表現したり、実施者の意図に応じて省略したりしてもよく、空間区画線がないと記号イメージの解析が困難になる場合には基準座標を表示してもよい。
【００３４】
前記第２及び第３の実施例では、外部の他の装置の入力／出力処理は、前記第１の実施例の記号イメージ編集装置１００の入力／出力処理と同一であるので、以下、第１の実施例を中心に説明する。
【００３５】
制御部１２０は、第１の実施例に基づいて入力部１１０から入力されたまたは第３の実施例に基づいて外部の他の装置から転送された言語（ハングル、英語など）の文字（数字を含む）の情報を記号イメージに変換して、出力部１４０を介して表示するか、送信するか、またはプリンタ出力する役割を果たす。制御部１２０は、生成部１２１と編集部１２２とを含む。
【００３６】
一実施例において、生成部１２１は、入力部１１０を介して入力された言語の文字や数字の情報に対応する文字／数字のイメージ上の余白の位置に対応する位置に記号イメージを生成して出力部１４０の表示画面上に表示するか、プリンタ出力する。生成された記号イメージは、保存部１３０に保存される。
【００３７】
また、本発明を実施するにあたって、保存部１３０には、文字／数字について後述する記号イメージの生成原理に基づいて、それぞれ生成された記号イメージが各文字／数字にマッピングされて保存されている状態で、生成部１２１は、ユーザが入力した文字／数字にマッピングされて保存部１３０に保存されている記号イメージをリアルタイムで抽出し、出力部１４０の表示画面上に表示するか、プリンタ出力してもよい。
【００３８】
他の実施例において、生成部１２１は入力部１１０を介して入力された記号イメージを解析して、ユーザが入力した記号イメージにマッピングされて保存部１３０に保存されている文字／数字をリアルタイムで抽出して、当該言語の文字／数字を出力部１４０を介して出力する。
【００３９】
編集部１２２は、出力部１４０の表示画面上に表示された記号イメージをユーザがその大きさ、色、形態、透明度や位置などを調整するか、または他のイメージや文字に変換させる編集コマンドを入力部１１０を介して入力する場合には、編集コマンドに応じて記号イメージを編集する機能を実行する（出力処理におけるイメージ編集機能）。また、編集部１２２は、記号イメージが表現される所定の区画された空間（例えば、四角形のイメージフレーム）と、その空間を区切った空間区画（例えば、ハングルの初声、中声、終声を区分するための空間分割）を自由に編集、構成してもよい（入力／出力処理における空間編集機能）。
【００４０】
一実施例において、入力部１１０は、ユーザが記号イメージに出力（表示やプリンタ出力など）を希望する言語の文字や数字の情報を入力するために使用され、また、ユーザが生成された記号イメージに対する編集コマンドを入力するために使用される。
【００４１】
他の実施例において、入力部１１０は、ユーザが言語の文字や数字で出力（表示や転送やプリンタ出力など）を希望する記号イメージを入力するために使用され、また、ユーザが入力した記号イメージに対する編集コマンドを入力するために使用される。
【００４２】
さらに他の実施例において、入力部１１０は、ユーザが希望する記号イメージを表すことができる所定の区画された空間（例えば、四角形のイメージフレーム）と、その空間を区切った空間区画（例えば、ハングルの初声、中声、終声を区分するための空間分割）に対する編集コマンドを入力するために使用される。
【００４３】
入力部１１０は、キーパッド、タッチスクリーン部、マウスパッド、マウス、光学ペンなどで構成される。もちろん、タッチスクリーン部でＧＵＩを介して入力する文字／数字入力をキーパッドを用いて入力してもよく、キーパッドで入力する文字／数字入力をタッチスクリーン部を用いて入力してもよい。本発明の適用対象は、キーパッドのみを備えた装置、またはタッチスクリーン部のみを備えた装置、またはキーパッドとタッチスクリーン部の両方を備えた装置であってもよい。
【００４４】
キーパッドは、数字と特殊文字または文字を入力するための多数のキーボタンで構成される。また、この他に入力された文字／数字を保存して修正や読み込みを行う機能ボタンと一般ボタンとをさらに備え、ユーザの指示を制御部１２０に送信する媒体としての機能を果たす。キーパッドは、ユーザが手などで文字（子音、母音）／数字キーに所定の圧力を加えると（または微電流を加えるか、センサによってユーザの動作を認識させると）、これに相当する文字／数字の認識に必要なデータ、即ち、キーデータを発生させて制御部１２０に転送し、制御部１２０は、印加されるキーデータに対応する文字／数字のコードデータを保存部１３０で確認して、文字／数字のコードデータにマッピングされた記号イメージを抽出して出力部１４０に表示するか、送信するか、プリンタ出力する。文字や数字を入力するためのキーパッドのハードキーの構成と、キーパッドによる文字／数字の認識及び組み合わせの方法は、公知の技術を準用して構成することができるので、これに対する詳細な説明は省略する。
【００４５】
また、タッチスクリーン部は、オブジェクト指向の文字／数字の情報入力手段であって、ユーザが手やスタイラスペンのような筆記具などを用いて、パネル上面の文字（子音、母音）／数字に所定の圧力を加えると、これに相当する文字／数字の認識に必要なデータ、即ち、タッチスクリーンデータを発生させて制御部１２０に転送し、制御部１２０は、印加されるタッチスクリーンデータに対応する文字／数字のコードデータを保存部１３０で確認して文字／数字のコードデータにマッピングされた記号イメージを抽出して出力部１４０に表示するか、プリンタ出力する。文字や数字を入力するためのタッチスクリーン部のソフトキーの構成と、タッチスクリーン部による文字／数字の認識及び組み合わせの方法は、公知の技術を準用して構成することができるので、これに対する詳細な説明は省略する。
【００４６】
保存部１３０は、制御部１２０によって処理された機能を駆動するためのプログラム、ユーザの利便性や基本的な種々の機能を実現するための所定のプログラムなどを保存する。例えば、ラムなどの揮発性メモリまたはフラッシュメモリなどの不揮発性メモリで実現され、装置の全体的な動作を総括的に制御するプログラムや入力部１１０から入力されたデータを処理する動作プログラムなどが保存される。特に、保存部１３０は、本発明の実施によって入力処理されるキーデータまたはタッチスクリーンデータに対応する文字／数字のコードデータと、これにマッピングされた記号イメージとを有している。文字／数字のコードデータにマッピングされる記号イメージについては後述することにする。
【００４７】
出力部１４０は、制御部１２０の制御下で表示またはプリンタ出力を行う。一実施例において、出力部１４０に出力される記号イメージ情報は、入力部１１０を介して入力された文字／数字情報に対応する情報である。つまり、ユーザが文字／数字を入力すると、これに対応する文字／数字のコードデータが抽出され、これにマッピングされた記号イメージが出力されて、出力部１４０の表示画面上に表示されるか、プリンタ出力される。他の実施例において、出力部１４０に出力される文字／数字情報は、入力部１１０を介して入力された記号イメージ情報に対応する情報である。つまり、ユーザが記号イメージを入力すると、これを解釈して対応する文字／数字のコードデータが抽出され、これにマッピングされた記号イメージが出力されて、出力部１４０の表示画面上に表示されるか、プリンタ出力される。
【００４８】
【表２】
2016532937.tif 000004
このように記号イメージ編集装置１００は、言語（ハングル、英語など）の文字（数字を含む）を記号イメージで、または記号イメージを解析してその言語の文字（数字を含む）で出力する。前述したように、ハングルの文字に対応する記号イメージは言語の文字や数字を象徴的に表したものであり、少なくとも１つのハングル文字（少なくとも１つの音節）を表す所定の区画された空間（例えば、四角形のイメージフレーム）で空間を区切って（空間区画）区切られた空間の一部分に少なくとも１つが配置されたシンボルである。このシンボルは、言語（ハングル、英語など）の文字や数字を一定の枠に入れて空き空間から把握される形状を点、線、面などで単純化したものであり、点は、三角形、四角形、円形などの様々な形状を有してもよい。
【００４９】
言語の文字や数字をシンボル化した記号イメージは、言語の文字や数字を印刷などに使用される平面的な対象ではなく体積と質量を持つ物体として規定し、これを一定の枠に入れて空き空間に溶金を注いて得られる鋳物を加工して、元の枠とともに文字や数字を簡単かつ象徴的に表す文字／数字の加工技術に基づいており、図２（ハングルの場合）及び図２８（英語アルファベットの場合）に文字や数字の加工処理を平面的に例示した。つまり、言語の文字や数字の表現に空間の概念を付与して、これを単純化した空間で表し、言語の文字や数字を加工して、これを単純化して表すことができるシンボルである三角形、四角形、円形などを抽出した後、これらのシンボルを空間に配置して言語の数字や文字を象徴的に表す。
【００５０】
したがって、出力部１４０の表示画面上に表示されるハングルの記号イメージは、少なくとも１つのハングル文字（少なくとも１つの音節）を表す所定の分割された第１の空間と、第１の空間を点、線、綿または他の表示によって区切って（第１の空間を空間区画して第２の空間に分割）、区切られた第２の空間で初声、中声、終声のうちいずれか１つの機能を実行して、ハングルを象徴的に表すことができる空間区画と、空間区画で区切られた第２の空間に配置される三角形、四角形、円形、直線のうちのシンボルとして表現される。ここで、空間区画で区切られた第２の空間のそれぞれは横方向または縦方向またはその組み合わせで構成されてもよく、それぞれの第１の空間は横方向または縦方向に離隔して配置されてもよい。また、シンボルは三角形、四角形、円形などの各図形の形状を有する事物や形状を有するように構成された事物、イメージ、及び各図形を連想させる文字のうち少なくとも１つであってもよい。
【００５１】
一実施例として、ハングルの文字に対して記号イメージを生成する原理について説明する。
図３〜図５は、本発明の一実施例に基づいて、ハングルに対応する記号イメージを生成する原理を示す図であり、図６は、点、線、面を一緒に活用したハングルの初声、中声、終声を例示した図であり、図７は、空間区画でハングルの初声、中声、終声を例示した図である。前述したように、空間区画は、例えば、ハングルの初声、中声、終声を区分するための空間分割を意味する。
【００５２】
【表３】
2016532937.tif 000005
参考までに、本明細書では、各ハングルのイメージ上の余白の形が四角形、三角形、または円形である場合にのみ、当該余白の位置に対応する位置に余白の形と同じ形の記号イメージを生成しており、各ハングルのイメージ上の余白の位置に余白と異なる形を持つ記号イメージを生成してもよく、これは余白が文字の固有の特性を決定するからである。
【００５３】
【表４】
2016532937.tif 000006
初声イメージフレームに初声に対応する記号イメージを生成する原理は、図３で説明した原理と同一であり、本発明では、中声イメージフレームに中声に対応する記号イメージを生成することにおいても、中声のイメージ上の余白の位置に対応する位置に余白の形と同じ形である四角形の記号イメージを生成した。
【００５４】
【表５】
2016532937.tif 000007
一方、初声と中声と終声が組み合わされた文字に対応する記号イメージを生成することにおいて、まず、図３の四角形のイメージフレームを図７の（ｃ）〜（ｆ）に示すように、初声領域、中声領域、終声領域に区分し（これを「空間区画」という）、初声イメージフレーム、中声イメージフレーム、終声イメージフレームにそれぞれ個別に初声と中声と終声に対応する記号イメージを生成する。
【００５５】
【表６】
2016532937.tif 000008
ハングルの二重子音の中で初声には使用されず、終声にのみ使用される、いわゆる複子音の場合にも、ハングルの他の二重子音と同様に終声イメージフレームを二つの領域に分画した状態で、分離された２つのイメージフレームにそれぞれの子音に対応する記号イメージを生成する。
【００５６】
【表７】
2016532937.tif 000009
図１に戻って、一実施例として生成部１２１は、入力部１１０を介して入力されたハングルの文字に相当する文字イメージ上の余白の位置に対応する位置に記号イメージを生成し、つまり、四角形のイメージフレームを図７の（ａ）、（ｂ）に示すように、初声領域と中声領域に区分して（空間区画）、初声イメージフレームと中声イメージフレームにそれぞれ個別に初声と中声に対応する記号イメージを生成するか、または四角形のイメージフレームを図７の（ｃ）〜（ｅ）に示すように初声領域、中声領域、終声領域に区分して（空間区画）、初声イメージフレーム、中声イメージフレーム、終声イメージフレームにそれぞれ個別に初声と中声と終声に対応する記号イメージを生成して、出力部１４０の表示画面上に表示するか、プリンタ出力する。
【００５７】
また、生成部１２１は、ユーザが入力した文字にマッピングされて保存部１３０に保存されている記号イメージを抽出して、四角形のイメージフレームを図７の（ａ）、（ｂ）に示すように、初声領域と中声領域に区分して（空間区画）初声イメージフレームと中声イメージフレームにそれぞれ個別に初声と中声に対応する記号イメージや、四角形のイメージフレームを図７の（ｃ）〜（ｅ）に示すように、初声領域、中声領域、終声領域に区分して（空間区画）、初声イメージフレーム、中声イメージフレーム、終声イメージフレームにそれぞれ個別に初声と中声と終声に対応する記号イメージを出力部１４０の表示画面上に表示するか、送信するか、プリンタ出力する。
【００５８】
他の実施例として、入力部１１０を介してユーザは言語の文字に出力（表示、送信、またはプリンタ出力など）を希望する記号イメージを入力してもよいが、ハングルの初声と中声が組み合わされた文字については、図７の（ａ）、（ｂ）のうちいずれか１つを選択して、ハングルの初声と中声と終声が組み合わされた文字については、図７の（ｃ）〜（ｅ）のうちいずれか１つを選択した後、シンボルを配置する部分を指定する。その後、シンボルの形状（点、線、面など）を選択するステップに進み、もしユーザが「点」を選択した場合には、再び点の形状（三角形、四角形、円形など）を選択するステップに進む。
【００５９】
別の実施方法では、図形の形状を先に選択して、その表現方法において点、線、面のうちいずれか１つ以上を選択してもよい。
このように、所定の区画された空間（例えば、四角形のイメージフレーム）において空間区画で区切られた空間の一部分にシンボルを配置すると、生成部１２１は、入力部１１０を介して入力された記号イメージを解析して、ユーザが入力した記号イメージにマッピングされて保存部１３０に保存されている文字を抽出して、当該言語の文字を出力部１４０を介してリアルタイムで出力する。
【００６０】
このように入力部１１０を介してユーザが記号イメージに出力（表示やプリンタ出力など）を希望する言語文字情報を入力してもよく、一方、ユーザが言語の文字に出力（表示やプリンタ出力など）を希望する記号イメージを入力してもよい。
【００６１】
一方、数字入力モードでアラビア数字の数は合計１０個であれば表現可能である。つまり、アラビア数字は「０」、「１」、「２」、「３」、「４」、「５」、「６」、「７」、「８」、「９」で構成される。
【００６２】
アラビア数字に対する記号イメージは、所定の区画された空間（例えば、四角形のイメージフレーム）から空間の一部分にシンボルを配置して表現してもよい。但し、数値は初声／中声／終声で区分されないので、区画された空間を再区分（空間区画）する必要はない。ここで、シンボルはアラビア数字を一定の枠に入れて空き空間から把握された形状を点、線、面などで単純化したものであり、点は三角形、四角形、円形などの様々な形状を有してもよい。
【００６３】
図８は、アラビア数字に対応する記号イメージを数字イメージフレームに生成する原理を説明している。図８において、（ａ）は数値「０」に対応する記号イメージであり、（ｂ）は数値「１」に対応する記号イメージであり、（ｃ）は数値「２」に対応する記号イメージであり、（ｄ）は数字「３」に対応する記号イメージであり、（ｅ）は数値「４」に対応する記号イメージであり、（ｆ）は数値「５」に対応する記号イメージであり、（ｇ）は数字「６」に対応する記号イメージであり、（ｈ）は数字「７」に対応する記号イメージであり、（ｉ）は数字の「８」に対応する記号イメージであり、（ｊ）は数値「９」に対応する記号イメージである。上記のように数字に対応する記号イメージは、図９に示すように時計に適用して、空間区画とシンボルによって数字を表現することができる。
【００６４】
一方、英単語の入力モードにおいて、英語のアルファベットの数は大文字と小文字がそれぞれ２６個ずつ、合計５２個であれば表現できる。大文字（／小文字）の英語アルファベット２６個のうち母音アルファベットが５個、即ち「Ａ（／ａ）」、「Ｅ（／ｅ）」、「Ｉ（／ｉ）」、「Ｏ（／ｏ）」、「Ｕ（／ｕ）」を除いた残りの２１個のアルファベットを「子音アルファベット」と称する。つまり、大文字（／小文字）の英語アルファベットは、２１個の子音の英文字（即ち、「Ｂ（／ｂ）」、「Ｃ（／ｃ）」、「Ｄ（／ｄ）」、「Ｆ（／ｆ）」、「Ｇ（／ｇ）」、「Ｈ（／ｈ）」、「Ｊ（／ｊ）」、「Ｋ（／ｋ）」、「Ｌ（／ｌ）」、「Ｍ（／ｍ）」、「Ｎ（／ｎ）」、「Ｐ（／ｐ）」、「Ｑ（／ｑ）」、「Ｒ（／ｒ）」、「Ｓ（／ｓ）」、「Ｔ（／ｔ）」、「Ｖ（／ｖ）」、「Ｗ（／ｗ）」、「Ｘ（／ｘ）」、「Ｙ（／ｙ）」、「Ｚ（／ｚ）」）と、５つの母音アルファベット（即ち、「Ａ（／ａ）」、「Ｅ（／ｅ）」、「Ｉ（／ｉ）」、「Ｏ（／ｏ）」、「Ｕ（／ｕ）」）で構成される。
【００６５】
一方、上述したように、本発明に係る記号イメージ編集装置１００によって生成されたハングル、英語、数字などの文字をシンボル化した記号イメージを用いて、産業生産物（製品、美術品、建築物、工芸品、建物など）のデザイン設計を容易にできるようにする方法に技術的な需要が存在するものであり、したがって、本発明では図１１のような記号イメージを用いたデザイン設計装置２００をさらに提供する。
【００６６】
具体的には、図１１を参照すると、本発明に係る記号イメージを用いたデザイン設計装置２００は、入力部２１０と保存部２３０と変換部２５０と操作部２７０と設計処理部２９０と出力部２８０とを含む。
【００６７】
まず、デザイン設計装置２００の入力部２１０を介してユーザが産業生産物のデザインを設計するにあたって、使用しようとする文字情報や文字情報に対応して生成された記号イメージが入力されて、ユーザがデザイン設計をしようとする設計対象物である製品、美術品、建築物、工芸品、建物などの産業生産物のファイル情報（イメージファイル、３ＤＣＡＤファイル、都市計画設計情報など）が入力され、これらは以降のデザイン設計作業のために保存部２３０に保存される。
【００６８】
具体的には、ユーザがデザイン設計に使用しようとする記号イメージは、ＵＳＢなどの外部記憶装置から入力部２１０を介して入力されるか、記号イメージが保存された外部Ｄ／Ｂから入力部２１０を介して保存部２３０にダウンロードされてもよい。
【００６９】
また、設計対象物のファイル情報もまたＵＳＢなどの外部記憶装置から入力部２１０を介して入力されるか、外部Ｄ／Ｂを介してキーワード検索で検出されたイメージファイルなどが入力部２１０を介して保存部２３０にダウンロードされてもよい。
【００７０】
その他にも、入力部２１０を介して設計対象物の形状、構造、色、大きさ、位置、材質、質感、環境情報などが入力されてもよく、設計対象物に組み合わされて表現される記号イメージの大きさ情報、比率情報、形態情報、位置情報、材質情報などが設計者によって決定されて入力されてもよい。
【００７１】
一方、デザイン設計装置２００の変換部２５０は、入力部２１０を介して文字情報が入力された場合に、図２で説明した処理を用いて当該文字情報を対応する記号イメージに変換生成し、生成された記号イメージは以降のデザイン設計作業のために保存部２３０に保存される。
【００７２】
なお、変換部２５０は、入力部２１０を介して外国語文字情報が入力された場合に、操作部２７０による設計者の選択に応じて外国語文字情報を国語文字情報に自動翻訳した後、翻訳された国語文字情報を対応する記号イメージに変換生成してもよい。
【００７３】
また、変換部２５０は、入力部２１０を介して国語文字情報が入力された場合に、操作部２７０による設計者の選択に応じて、国語文字情報を外国語文字情報に自動翻訳した後、翻訳された外国語文字情報を対応する記号イメージに変換生成してもよい。
【００７４】
また、デザイン設計装置２００の操作部２７０は、設計者が縮小、拡大、比率調整、削除などの様々な操作や編集コマンドを入力するために使用されるだけでなく、ユーザはデザイン設計装置２００の操作部２７０に備えられた文字キーボードを介してデザイン設計に使用しようとする特定文字情報を直接入力してもよい。
【００７５】
また、デザイン設計装置２００の設計処理部２９０は、操作部２７０を介して入力された操作及び編集コマンドに応じて、所定の記号イメージが設計対象物に表現されるように設計対象物のデータファイルを修正及び変形することにより、設計対象物を設計する機能を実行し、設計処理部２９０によって設計された設計対象物のイメージは、画面やプリンタなどの出力部２８０を介して外部に出力される。
【００７６】
図１２は、本発明に係る記号イメージを用いたデザイン設計方法を説明するフローチャートである。図１１及び図１２を参照して、本発明に係る記号イメージを用いたデザイン設計方法を説明すると、まず、設計者が産業生産物のデザインを設計するにあたって、使用しようとする文字情報と、ユーザがデザイン設計をしようとする設計対象物である製品、美術品、建築物、工芸品、建物などの産業生産物のファイル情報（イメージファイル、３ＤＣＡＤファイルなど）がデザイン設計装置２００の入力部２１０を介して入力されて（ステップＳ３１０）、これらの情報は以降のデザイン設計作業のために保存部２３０に保存される。
【００７７】
一方、デザイン設計装置２００の変換部２５０は、前述したステップＳ３１０において、入力部２１０を介して入力された文字情報を対応する記号イメージに変換生成し、生成された記号イメージは以降のデザイン設計作業のために保存部２３０に保存される。
【００７８】
一方、本発明を実施するにあたって、前述したステップＳ３１０において、入力部２１０を介して文字情報が入力されず、既に存在する記号イメージが入力されてもよく、この場合、変換部２５０は入力された記号イメージからそれに対応する文字情報を抽出して、抽出された文字情報は保存部２３０に保存されることが好ましい。
【００７９】
一方、デザイン設計装置２００の変換部２５０が入力部２１０を介して入力された記号イメージから対応する文字情報を抽出することにおいては、図２の各文字から記号イメージを生成する演算を逆に適用することにより、記号イメージから文字を変換抽出してもよい。
【００８０】
一方、変換部２５０を介して抽出された文字情報と入力部２１０を介して直接入力された文字情報は、記号イメージが適用されて最終的に設計された設計対象物のイメージと一緒に表示されることにより、設計対象物に形象化された文字情報を表すことに使用されてもよい。
【００８１】
一方、前述したステップＳ３１０の実行に応じて、設計に使用する記号イメージと設計対象物の情報が保存部２３０に保存された状態で、設計者は操作部２７０の操作を介して具体的な設計コマンドを入力する（ステップＳ３３０）。
【００８２】
したがって、デザイン設計装置２００の設計処理部２９０は、設計者の設計コマンドに応じて所定の記号イメージが設計対象物に表現されるように設計対象物のデータファイル（イメージファイルまたは３ＤＣＡＤファイルなど）を修正及び変形することにより、設計対象物に所定の記号イメージに対応する文字が形象化されるように設計を行う（ステップＳ３５０）。
【００８３】
一方、設計処理部２９０によって設計された設計対象物のイメージは、保存部２３０に保存され、設計者の操作部２７０による操作コマンドに応じて設計対象物の最終的な設計イメージは、画面やプリンタなどの出力部２８０を介して外部に出力される（ステップＳ３７０）。
【００８４】
前述したステップＳ３５０の設計処理部２９０の設計機能を具体的に説明すると、設計処理部２９０は、設計者の操作コマンドに応じて、設計対象物の構造自体を記号イメージの形状に応じて変形設計してもよい。
【００８５】
例えば、設計処理部２９０は、特定のブロックに立てられる一連のビルディングを航空写真で上から撮影する場合、設計者が入力した所定の文字に対応して生成された記号イメージの形状が表現されるように、複数のビルディングのブロック内の施工位置と間隔、ブロックの色、形態、大きさ、材質を調整してもよい。
【００８６】
また、前述したステップＳ３５０の設計処理部２９０は、設計者の操作コマンドに応じて設計対象物の外面を記号イメージの形状に応じて修正設計してもよい。具体的には、デザイン設計装置２００の設計処理部２９０は、図１３に示すように、複数のビルディングを正面から見たとき、それぞれのビルディングの正面に設計者が意図した記号イメージが順次に表示されるように、各ビルディングの正面の形状、模様、材質、大きさ、位置、及び色彩を修正設計してもよい。
【００８７】
【表８】
2016532937.tif 000010
また、デザイン設計装置２００の設計処理部２９０は、図１４Ｂで設計されたボックスに追加の文様を表示することにより、図１４Ｃに示すようにボックス構造物の外形デザインの完成度をさらに高めることもできる。
【００８８】
【表９】
2016532937.tif 000011
また、この場合には脚部材の４方向における各色と上部面の４方向に応じてそれぞれ示される記号イメージの色を一致させることで、クッション部の上部面の四方設計によるユーザの混同を防止することもできる。
【００８９】
図１６は、本発明に係るデザイン設計装置２００を用いた時計のイメージ設計処理を示す図である。図１６の（ａ）に示すような設計対象物のイメージとして、時計イメージが入力されると、設計処理部２９０は、図９のような記号イメージの生成処理を介して生成された記号イメージが時計イメージに表現されるように、図１６の（ｂ）に示すように設計対象物を設計して、時計バンドのイメージをさらに生成及び結合することにより、図１６の（ｃ）に示すような最終の設計イメージを生成する。
【００９０】
【表１０】
2016532937.tif 000012
したがって、本発明によれば、影、水面に投影されたイメージ、季節の変化に伴う降雪、積雪した雪の融雪、紅葉、風などの自然現象を記号イメージとして表現する設計対象物を設計することができる。つまり、設計処理部２９０は、上述したような自然現象を考慮した設計を実行することにより、設置が完了した設計対象物は自然現象に基づいて、特定の文字の形象化されたイメージを表すことができる。
【００９１】
例えば、春、夏には同じ緑色を保持して、秋には別の色に紅葉する木を配置することによって、秋にのみ記号イメージが実現される設計が可能であり、冬には熱線を設置して雪が降った後、特定の部分だけ雪が溶けて記号イメージが表現されるようにしてもよい。
【００９２】
また、夏には特定の温度以上に加熱されると記号イメージが表現されるように、歩道ブロックを設計して「熱中症注意」、「オゾン警報」などの警告メッセージを伝えることもでき、このように都市内のすべての建築物と空間を活用した文字表現が可能である。
【００９３】
また、風が吹くと回転して停止状態とは異なる色を表示する風車と、風が吹いても回転しない静止状態の色だけを表示する風車とを一緒に設計対象物の外面に設置することにより、風が吹かない場合には記号イメージが表示されないが、風が吹くと回転する風車によって記号イメージが設計対象物の外面に実現されるように設計してもよい。
【００９４】
上記のような自然現象による設計対象物への記号イメージの実現は、設計処理部２９０から提供されるシミュレーション機能により、出力部２８０を介してユーザに「プレビュー」として提供されるようにすることが好ましい。
【００９５】
なお、設計処理部２９０は、設計対象物が有する形態、構造、材質、位置、大きさ、色、光沢、質感、設置環境などを分析して、記号イメージが設計対象物に組み合わせることができる様々な可能性を出力部２８０を介して設計者に自動的に提示し、よって設計者は出力部２８０を介して提示された様々な組み合わせの例に基づいて再び操作部２７０による編集作業を行い、設計対象物への記号イメージの実現を最適化できるようにすることが好ましい。
【００９６】
一方、設計処理部２９０が提供する上述した自動設計機能は、小規模の設計対象物の設計に適用するのが好ましく、建築物のような大規模な設計対象物の設計においては、自動設計を適用するより設計者が操作部２７０を介して特定の特徴を設計対象物に付与する方法で設計することが好ましい。
【００９７】
また、設計処理部２９０は、設計または修正設計が完了した設計対象物の荷重分布を分析して安定性を自動点検する機能を実行してもよく、このため、設計処理部２９０には、土木、建築工学で使用される荷重解析プログラムがインストールされることが好ましい。
【００９８】
また、設計処理部２９０は、設計対象物の外面に肉眼で区別可能な形状に記号イメージが組み合わされるように設計してもよいが、紫外線、赤外線、微細電流、音波、化学反応試料などを用いて設計対象物に記号イメージが表示されるように設計することにより、肉眼では区別されないが、赤外線カメラなどの特殊な装置を介して記号イメージが認知されるように設計してもよい。
【００９９】
また、上記のような肉眼で区分可能な記号イメージの設計反映と、肉眼で区分不可能な記号イメージの設計反映は、同一設計対象物に重ね合わせて適用してもよい。
また、デザイン設計装置２００の設計処理部２９０は、記号イメージの背景色と同様に記号イメージの空間区画線を配色することで、記号イメージのシルエットが変形されるように設計してもよい。例えば、黒の空間区画線と記号イメージが白の背景上に表現された場合には、記号イメージと空間区画線を白に空いていた白い空間を黒に反転させる場合には、文字の形がシルエットで表現されるが、これは空間区画線が背景と同じ色に変更されて消えたように見えるからである。
【０１００】
また、設計処理部２９０は、記号イメージを設計に適用するにあたって、設計対象物の外面に表示される記号イメージを暗号化した記号イメージになるように設計してもよい。具体的には、設計対象物の外面を電光機能によって装飾して、記号イメージを表示するために発光される複数の電球の発光を同時に実行せずに、時差を置いて順次に交代されて発光するようにして、電光掲示板を連続撮影する場合にのみ、記号イメージを外部から認識できるように実現してもよい。
【０１０１】
また、本発明を実施するにあたって、デザイン設計装置２００の操作部２７０を介して入力された文字情報に対応する記号イメージを変換部２５０が生成し、生成された記号イメージが外部に設置された電光掲示板に送信されると、電光掲示板はデザイン設計装置２００から受信された記号イメージが実現されるように電光掲示板の点灯を制御することにより、設計者がデザイン設計装置２００を介して設計した設計対象物が電光掲示板を介して直ちに実現されるようにしてもよい。
【０１０２】
また、本発明を実施するにあたって、デザイン設計装置２００の操作部２７０を介して入力された文字情報（ＫＯＲＥＡ）に対応する記号イメージを変換部２５０が図２９の（ａ）に示すように生成して、設計処理部２９０は、記号イメージの生成処理を介して生成された記号イメージが図２９の（ｂ）、（ｃ）、（ｄ）に示すように様々な文化的イメージに表現されるように設計対象物を設計してもよい。
【０１０３】
また、本発明を実施するにあたって、デザイン設計装置２００の操作部２７０を介して入力された文字情報（ＴＯＭ）に対応する記号イメージを変換部２５０が図３０の（ａ）に示すように生成し、設計処理部２９０は記号イメージの生成処理を介して生成された記号イメージを図３０の（ｂ）、（ｃ）に示すように変形設計してもよい。
【０１０４】
この場合にデザイン設計装置２００は、上述した各機能をサポートする所定のアプリケーションプログラムがインストールされているスマートフォンであってもよく、外国人観光客はこのようなスマートフォンを所持した状態で自分の名前と訪問国または都市名と訪問日付を入力して、その文字が形象化された記号イメージの前で記念撮影をすることもできる。
【０１０５】
一方、本発明に係るデザイン設計装置２００が、前記ステップＳ３５０において設計対象物を設計するにあたって、図１８及び図１９に示すような記号イメージを用いてもよい。
【０１０６】
【表１１】
2016532937.tif 000013
一方、本発明に係るデザイン設計装置２００において、前記ステップＳ３５０で設計した設計対象物は、図２０に示すように携帯電話または電子時計の表示部であってもよく、具体的には、表示部の数値情報（０７：０９）を記号イメージに適用して設計してもよい。
【０１０７】
一方、本発明で使用される記号イメージ（いわゆるシンボル文字、ドット文字、識別文字）は、平面的には文字とイメージの組み合わせを促進し、３次元的には被写体と文字を組み合わせる結合と隠喩のための象徴的な文字である。幾何学的構成を通じて容易に読まれないながらも物事と空間とを容易に結合することができ、創作者が意図するメッセージを比喩的に含ませて、事物と空間の価値を高めることができる。
【０１０８】
また、今日大量生産による大量消費が行われ、これらの消費パターンは商品についている値段やブランドが商品の価値を強調するようになったが、本発明により、商品と文字との組み合わせが容易になり、誕生日、結婚など特別な購入の意味を商品に指定できるようになることで、ユーザは商品と組み合わされた文字が持つ意味を介して値段とブランドのほかに新たな価値を発見することができる。
【０１０９】
本発明は、工芸、芸術、建築、インテリア、ファッション、照明デザイン、都市計画の分野でさらに興味深いことに活用することができる。文字を隠喩的に表現することができるので作品の本質を損なわない文字表現が容易になり、作家の哲学、意図、信念、起源、好きな意味を込めた文字を容易に組み合わせることができ、新しい創作ジャンルとして発展させることもできる。
【０１１０】
特に、多くの発展途上国の建物が四角形の構造を成しており、これらの建物を若干の構造を変更したり、塗装などの低コストで記号イメージを表現したりして新しい特徴を付与する１つの効果的な方策として、本技術を提示することができる。
【０１１１】
本発明は、スマート機器と組み合わせて、より強力な力を発揮することができる。専門的なデザイン教育を受けていない人も、本技術を活用して空間で自分だけの特別な意味を込めた新しい創作を実現して共有することができ、その共有対象と方法を自由に選択することができる。
【０１１２】
スマート機器の発達により、向後人々は電子情報が結合された視覚的な反応を経験することができ、徐々に日常化されて芸術、建築、デザイン、広告の分野でもこれを活用した革新的な変化が予想される。本発明は、このような時代の文字活用に関するものであり、科学技術が融合された文字の表現と解釈に関するものと要約することができる。
【０１１３】
特に、科学技術を活用して、平面的または立体的に文字を表現したり、文字の表現手段を光や葉などの自然現象と結合させたりして、その表現範囲を拡張する意味を持つ。先史時代の人々が洞窟や岩に文字を表現したように、現代人も自分が生きていく空間と自然現象を文字表現の対象として活用できるという点が、本発明の最も興味深い特徴である。
【０１１４】
一方、図１３〜図１７に示すように、本発明に係るデザイン設計装置２００によって設計された設計対象物が屋外空間に設置及び施工される場合、一般的なユーザは当該設計対象物に具体的にどのような記号イメージが実現されているかどうかを簡単に把握することは困難かもしれない。
【０１１５】
つまり、前述したように、記号イメージが実現されるように設計された産業生産物に具体的にどのような記号イメージが実現されているかを一般人に簡単に説明できるようにするデザイン分析及び解析ソリューションの提供も必要とされる。
【０１１６】
したがって、本願発明では、図２１のような記号イメージが適用された設計対象物分析装置４００をさらに考案した。
図２１を参照すると、本発明に係る記号イメージが適用された設計対象物分析装置４００は、入力部４１０と保存部４３０と分析部４５０と表示部４７０とを含む。
【０１１７】
まず、入力部４１０を介して記号イメージが表現されるように実現された設計対象物の外部情報が入力され、入力部４１０を介して入力された設計対象物の外部情報は、保存部４３０に保存される。具体的には、入力部４１０を介して入力される設計対象物の外部情報は、設計対象物の撮影イメージファイルなどであってもよく、このような設計対象物の外部情報は、ＵＳＢなどの外部記憶装置から入力部４１０を介して入力されるか、設計対象物の外部情報が保存されている外部Ｄ／Ｂから入力部４１０を介して保存部４３０にダウンロードされてもよい。
【０１１８】
設計対象物分析装置４００の分析部４５０は、外部情報を分析して、設計対象物に実現された記号イメージを抽出し、当該記号イメージに対応する文字情報を分析する機能を実行し、表示部４７０は分析部４５０によって抽出された記号イメージ及び文字情報を表示することで、ユーザに分析情報を提供する機能を実行する。
【０１１９】
一方、本発明を実施するにあたって、設計対象物分析装置４００は、カメラモジュールを別途に備え、これで設計対象物を直接撮影することにより、イメージファイルを外部情報として取得してもよく、このようにカメラモジュールによって獲得されたイメージファイルも解析部４５０による分析のために保存部４３０に保存される。
【０１２０】
図２２は、本発明に係る記号イメージが適用された設計対象物分析方法について説明するフローチャートである。図２１及び図２２を参照して、本発明に係る記号イメージが適用された設計対象物分析方法について説明すると、設計対象物分析装置４００の入力部４１０を介して設計対象物の外部情報が入力され（ステップＳ５１０）、入力された設計対象物の外部情報は、分析のために保存部４３０に保存される。
【０１２１】
保存部４３０に保存された設計対象物の外部情報をもとに設計対象物分析装置４００の分析部４５０は、設計対象物に実現された記号イメージを抽出し、当該記号イメージに対応する文字情報を分析する（ステップＳ５３０）。
【０１２２】
【表１２】
2016532937.tif 000014
分析部４５０が設計対象物の外部イメージ情報である映像情報から記号イメージを抽出することにおいては、保存部４３０に予め保存されている様々な記号イメージを入力部４１０に入力された設計対象物の映像情報と１：１で対比するパターン検索を介して、最も高い一致度を示す記号イメージを選択する方法を使用することが好ましい。
【０１２３】
また、分析部４５０が抽出された記号イメージから対応する文字情報を抽出及び分析することにおいては、図２における各文字から記号イメージを生成する演算を逆に適用することにより、記号イメージから文字情報を変換抽出してもよい。
【０１２４】
また、抽出された記号イメージ及び文字情報は、設計対象物分析装置４００の表示部４７０を介して表示されることでユーザに提供される（ステップＳ５５０）。
【０１２５】
【表１３】
2016532937.tif 000015
また、設計対象物分析装置４００に備えられたカメラモジュールで撮影して、表示部４７０に設計対象物が表示されている状態で、分析部４５０が前記分析を行い、分析の結果としての記号イメージまたは文字情報を表示部４７０に設計対象物の撮像イメージとオーバーラップして表示すれば、ユーザは現在撮影している設計対象物による拡張現実サービスの提供を受けることができる。
【０１２６】
また、このように記号イメージなどがオーバーラップして表示された設計対象物のイメージと、設計対象物の元イメージを保存部４３０に一緒に保存しておくことにより、以降ユーザは両方を容易に比較確認できる。
【０１２７】
一方、設計対象物分析装置４００の表示部４７０には、その他の付加情報（ｆ）とオプションの設定情報（ｇ）がさらに表示されてもよい。
一方、本発明を実施するにあたって、設計対象物分析装置４００の入力部４１０を介して入力される設計対象物の外部情報は、設計対象物の映像情報に加えて設計対象物の部位別温度の情報、設計対象物から発生する光の情報、設計対象物の部位別周波数の情報であってもよい。
【０１２８】
つまり、分析部４５０は、設計対象物の外部映像情報を分析することにより、記号イメージを抽出してもよいが、目に見えない温度分布や周波数分布として記号イメージが実現されている設計対象物であれば、分析部４５０は、このような設計対象物の外部温度分布情報または周波数分布情報の視覚的グラフィックス処理を行い、視覚的グラフィックス処理がされた温度分布イメージまたは周波数分布イメージを解析することにより、記号イメージを抽出してもよい。
【０１２９】
一方、本発明を実施するにあたって、外部情報として赤外線映像情報、紫外線映像情報、熱映像情報、音波分布情報、化学反応検出映像情報、電気信号検出映像情報などが、それぞれ個別的にまたは複合的に使用してもよく、分析部４５０は、これらの外部情報に対して視覚的に処理を行って確保したイメージから記号イメージを抽出することができる。
【０１３０】
また、入力部４１０を介して入力される外部情報は、設計対象物の上面、底面、正面、背面、左右側面に対する映像イメージがそれぞれ分離された状態で入力されてもよいが、ズーム機能を備えたカメラモジュールを介して外部情報の入力を受ける場合には、ズーム機能を活用して、広角で最大三面からのイメージ情報を入力部４１０を介して同時に入力されてもよく、このような場合には、分析部４５０は、三面からのイメージ情報を同時に分析して記号イメージを抽出することにより、より精度の高い分析を行うことができる。
【０１３１】
なお、分析部４５０は、入力部４１０を介して順次入力される外部情報に基づいて分析を行い、１次に入力された外部情報に基づいて分析を完了した後、分析された記号イメージと関連するイメージに対する、ユーザの追加検索により入力部４１０を介して２次入力された外部情報の分析を実行するなどの追加検索に応じた順番分析を実行してもよい。
【０１３２】
なお、劇場の舞台の上に「ご声援に感謝します」というそれぞれの文字情報に対応するそれぞれの記号イメージが実現された照明が順次に照射される場合のように、時間差を置いてそれぞれの記号イメージが実現された舞台照明で舞台を順次に装飾する場合、設計対象物分析装置４００に備えられたカメラモジュールがその舞台を連続的に撮影することにより、分析部４５０は舞台の照明イメージを順次に分析するようになり、したがって、「ご声援に感謝します」という公演照明によるメッセージを表示部４７０を介して表示することができる。
【０１３３】
一方、本発明は、複数の記号イメージが重ね合わせ表示（オーバーラップ）されるように実現された設計対象物分析にも使用してもよい。つまり、図２４に示すように、異なる空間区画とシンボルの配置をオーバーラップされるように表現した状態でも分析することができる。
【０１３４】
まず、複数の記号イメージのオーバーラップ生成の原理を説明すると、図２４に示すように２つの記号イメージ（レイヤー１，２）をオーバーラップして、複雑な記号の配置と空間区画を達成することができる。
【０１３５】
文字をオーバーラップする前に、まず文字を重ねた後で容易に識別できるように文字ごとシンボルを異にして表示する必要があるが、ここでシンボルの形態、位置、大きさ、透明度を変えたり、文字、符号などを用いたりして区別することができ、最も簡単な方法は色で区別することである。
【０１３６】
【表１４】
2016532937.tif 000016
また、第２の記号イメージの図形が第１記号イメージの図形に隠されて、これを簡単に類推可能であれば、第２の記号イメージの図形表示を省略してもよい（ｄ）。
【０１３７】
オーバーラップされた２つの記号イメージ（レイヤ１、２）は区分できるように固有の特性を付与し、これらの特性により各レイヤーを分離して個別の１つの文字で区別することができる。一実施例において、レイヤーに付与される特性としては、色、質感（厳密には、視覚）、明度、彩度、形状、明暗、パターン、透明度のほか、２次元と３次元による空間分離などの様々な方法が考えられる。
【０１３８】
例えば、図２５に示すようにオーバーラップされたレイヤーの上部にそれぞれのレイヤーの特性と同じ特性を有する表示（識別子）をしてオーバーラップされたレイヤーの順序を表示する。識別子の目的は順番表示と装飾なので、レイヤーの数と同じ数にしても異にしてもよく、レイヤーの順序は識別子で把握し、レイヤーの数は重なった記号文字内の記号の種類の数で把握することができる。識別子の順序は、文字を読む方法に応じて垂直に表示された場合には「上」から「下」で、水平に表示された場合には「左」から「右」で決める。したがって、最も上側と左側に位置する識別子が最初のレイヤーを表示する。
【０１３９】
【表１５】
2016532937.tif 000017
なお、図２５を介して説明したオーバーラップされたイメージの読み出しと分析の原理は、図３１の英語文字である「ＴＯＭ」にも同じ方法で適用されてもよい。
【０１４０】
一方、本発明における設計対象物に実現された記号イメージは、図２６の（ｃ）に示すように空間区画線がない状態で設計対象物に実現されている場合もあり、このような場合に分析部４５０を介して記号イメージから文字情報の分析を容易にするために、図２６のように空間区画線の４側の角にそれぞれ「＋」の形で基準座標を表示しておき、基準座標表示は、設計者の意図に応じて別の形で表現したり追加または省略したりしてもよい。
【０１４１】
図２３の（ｃ）のような入力について分析部４５０は、記号イメージの４側の角に表示された基準座標を認識し、当該基準座標を角とする空間区画線の種類を図７に示された６つの空間区画線として、図２７に示すように順番に適用した状態で、６つの空間区画線に対してそれぞれ分析される文字情報を分析することができる。
【０１４２】
【表１６】
2016532937.tif 000018
したがって、分析部４５０は、図２６の（ｃ）に示すように記号イメージの空間区画線が表示されていない場合でも、基準座標（＋）に基づいて、当該記号イメージから文字情報を分析することができる。
【０１４３】
ここで、基準座標がなくても、前記記号イメージから文字情報を分析することができる場合には、基準座標は省略されてもよく、複数の記号イメージが同時に羅列された場合には、空間区画線が表示されなくても記号イメージ間の配置や形状情報を組み合わせて文字情報を分析することができるので、この場合にも基準座標は省略してもよい。また、基準座標は最初の空間区画線に対する基準点として使用されるので、（＋）の形態のほか様々な記号や方法によって表示されてもよい。
【０１４４】
以上では、本発明の好適な実施例と応用例について図示して説明したが、本発明は、上述した特定の実施例及び応用例に限定されず、請求の範囲で請求する本発明の要旨を逸脱することなく、当該発明が属する技術分野で通常の知識を有する者によって多様な変形実施が可能なのは言うまでもなく、これらの変形実施は、本発明の技術的思想や展望から個別的に理解されてはならならない。
【０１４５】
また、本発明で使用した用語は、単に特定の実施例を説明するために使用されたものであって、本発明を限定しようとする意図ではない。単数の表現は文脈上明らかに異なるものを意味しない限り、複数の表現を含む。本明細書において、「含む（備える）」または「有する」等の用語は、説示された特徴、数字、ステップ、動作、構成要素、部分品、またはそれらを組み合わせたものが存在することを指定しようとするものであり、１つ若しくはそれ以上の他の特徴や数字、ステップ、動作、構成要素、部品、またはそれらを組み合わせたものの存在または付加の可能性を予め排除するものではないと理解されるべきである。
【産業上の利用可能性】
【０１４６】
本発明は、コンピュータを利用したデザイン関連産業分野における産業上の利用可能性が認められる。
【図２】
2016532937.tif 000019
【図３】
2016532937.tif 000020
【図４】
2016532937.tif 000021
【図５】
2016532937.tif 000022
【図６】
2016532937.tif 000023
【図８】
2016532937.tif 000024
【図９】
2016532937.tif 000025
【図１０】
2016532937.tif 000026
【図１３】
2016532937.tif 000027
【図１４ａ】
2016532937.tif 000028
【図１４ｂ】
2016532937.tif 000029
【図１４ｃ】
2016532937.tif 000030
【図１５】
2016532937.tif 000031
【図１７ａ】
2016532937.tif 000032
【図１７ｂ】
2016532937.tif 000033
【図１８】
2016532937.tif 000034
【図１９】
2016532937.tif 000035
【図２４】
2016532937.tif 000036
【図２５】
2016532937.tif 000037
【図２６】
2016532937.tif 000038
【図２７】
2016532937.tif 000039
【図２８】
2016532937.tif 000040
【図２９】
2016532937.tif 000041
【図３０】
2016532937.tif 000042
【図３１】
2016532937.tif 000043
【図１】
2016532937.tif 000044
【図７】
2016532937.tif 000045
【図１１】
2016532937.tif 000046
【図１２】
2016532937.tif 000047
【図１６】
2016532937.tif 000048
【図２０】
2016532937.tif 000049
【図２１】
2016532937.tif 000050
【図２２】
2016532937.tif 000051
【図２３】
2016532937.tif 000052
【国際調査報告】
2016532937.tif 000053
2016532937.tif 000054
2016532937.tif 000055
2016532937.tif 000056
2016532937.tif 000057
2016532937.tif 000058